(57)【要約】【課題】登録データを当該登録データの登録者本人が最低限に把握できる内容で登録者に通知することができる個人情報備忘録システム、方法およびプログラムを提供する。【解決手段】データ個人情報備忘録システム１２は、データの送信先であるアドレス情報と、このアドレス情報に対応付けされた日付情報と、この日付情報に対応付けされた通知情報とを記憶し、日付情報の日付とが一致した場合に、これらの情報をインターネット１０を介してアドレス情報の宛先であるＰＣ端末１６または携帯端末１８に送信する。【選択図】    図１
2004297674.tif 000002
【特許請求の範囲】
【請求項１】
データの送信先であるアドレス情報と、このアドレス情報に対応付けされた日付情報と、この日付情報に対応付けされた通知情報とを記憶する記憶手段と、
日時を計時する計時手段と、
この計時手段によって計時された日時が前記日付情報の所定日時前と一致した場合に、この日付情報に対応する前記記憶手段に記憶されているアドレス情報および日付情報に対応する通知情報を読み出す読み出し手段と、
この読み出し手段によって読み出されたアドレス情報を送信先として設定し、前記読み出し手段によって読み出された前記通知情報と前記日付情報とを合成して送信データを作成する作成手段と、
この作成手段によって作成された送信データを前記アドレス情報の送信先に送信する送信手段と、
を備えたことを特徴とする個人情報備忘録システム。
【請求項２】
前記通知情報は、前記日付情報に関するニックネーム情報を含んでいることを特徴とする請求項１に記載の個人情報備忘録システム。
【請求項３】
前記通知情報は、画像情報を含むことを特徴とする請求項１に記載の個人情報備忘録システム。
【請求項４】
前記通知情報は、年齢情報を含み、この年齢情報は、前記日付情報を基準として１年ごとに１づつ加算されることを特徴とする請求項１乃至３までのいずれか１項に記載の個人情報備忘録システム。
【請求項５】
データの送信先であるアドレス情報と、このアドレス情報に対応付けされた日付情報と、この日付情報に対応付けされた通知情報とを記憶する記憶ステップと、
日時を計時する計時ステップと、
この計時ステップによって計時された日時が前記日付情報の所定日時前と一致した場合に、この日付情報に対応する前記記憶ステップによって記憶されたアドレス情報および日付情報に対応する通知情報を読み出す読み出しステップと、
この読み出しステップによって読み出されたアドレス情報を送信先として設定し、前記読み出しステップによって読み出された前記通知情報と前記日付情報とを合成して送信データを作成する作成ステップと、
この作成ステップによって作成された送信データを前記アドレス情報の送信先に送信する送信ステップと、
を備えたことを特徴とする個人情報備忘録方法。
【請求項６】
前記通知情報は、前記日付情報に関するニックネーム情報を含んでいることを特徴とする請求項５に記載の個人情報備忘録方法。
【請求項７】
所定条件となった場合に、予め登録されたデータを設定された送信先に送信するプログラムであって、
データの送信先であるアドレス情報と、このアドレス情報に対応付けされた日付情報と、この日付情報に対応付けされた通知情報とを記憶する記憶手順、
日時を計時する計時手順、
この計時手順によって計時された日時が前記日付情報の所定日時前と一致した場合に、この日付情報に対応する前記記憶ステップによって記憶されたアドレス情報および日付情報に対応する通知情報を読み出す読み出し手順、
この読み出し手順によって読み出されたアドレス情報を送信先として設定し、前記読み出し手順によって読み出された前記通知情報と前記日付情報とを合成して送信データを作成する作成手順、
この作成手順によって作成された送信データを前記アドレス情報の送信先に送信する送信手順、
をコンピュータに実行させるためのプログラム。
【請求項８】
前記通知情報は、前記日付情報に関するニックネーム情報を含んでいることを特徴とする請求項７に記載のプログラム。
【発明の詳細な説明】
【０００１】
【発明の属する技術分野】
この発明は、登録されたデータを所定の送信先に送信するデータ送信装置に係り、特に指定された日時にデータを送信する個人情報備忘録システム、方法およびプログラムに関する。
【０００２】
【従来の技術】
従来、ウェブサーバ上に予めスケジュールや記念日等の日時とメッセージ等を登録しておき、この登録された日時になると、電子メールで所定の送信先に通知するサービスがある。また、登録された日時以外にも、この日時の１週間前等の所定の条件を設定することができ、この設定された条件に従って、登録したメッセージ等を電子メールで所定の送信先に通知する。そして、登録した日時が何の日であるかを完全に特定できる内容、例えば、「１２月１２日はＡさんの誕生日です。」、「Ａさん、１２月１２日のお誕生日おめでとうございます。」等の内容が送信先に通知される（例えば、特許文献１参照）。
【０００３】
【特許文献１】
特開２００１−３３８０４５号。
【０００４】
【発明が解決しようとする課題】
ところが、このような構成では、配信先として設定した電子メールアドレス宛に通知した内容をメッセージの登録者本人以外の人が誤って見てしまった場合等には、不都合がある。また、メッセージの登録者本人宛に送信する場合は、登録した本人であるのでよけいな情報は必要ではなく、登録者本人のみがわかる内容で必要最低限の情報を通知するのが望ましい。
【０００５】
この発明は上記事情に着目してなされたもので、その目的とするところは、通知されたメッセージ等の通知情報を当該メッセージの登録者本人が最低限に把握できる内容で通知することができる個人情報備忘録システム、方法およびプログラムを提供することにある。
【０００６】
【課題を解決するための手段】
本発明はかかる課題を解決するものであり、データの送信先であるアドレス情報と、このアドレス情報に対応付けされた日付情報とを記憶する第１の記憶手段と、この第１の記憶手段によって記憶された前記日付情報に対応付けされた通知情報とを記憶する第２の記憶手段と、日時を計時する計時手段と、この計時手段によって計時された日時と、前記日付情報とが一致した場合に、この日付情報に対応する前記第１の記憶手段に記憶されているアドレス情報および前記第２の記憶手段に記憶されている前記日付情報に対応する通知情報を読み出す読み出し手段と、この読み出し手段によって呼び出されたアドレス情報を送信先として設定し、前記読み出し手段によって呼び出された前記通知情報と前記日付情報とを合成して送信データを作成する作成手段と、この作成手段によって作成された送信データを前記アドレス情報の送信先に送信する送信手段とを備えたことを特徴とする。
【０００７】
したがって本発明は、データの送信先であるアドレス情報と、このアドレス情報に対応付けされた日付情報とが記憶され、記憶された日付情報に対応付けされた通知情報が記憶される。さらに、日時が計時され、計時された日時と、日付情報とが一致した場合に、この日付情報に対応するアドレス情報および日付情報に対応する通知情報が読み出され、読み出されたアドレス情報が送信先として設定され、読み出された通知情報と日付情報とが合成して作成され、作成された送信データがアドレス情報の送信先に送信される。このため、登録したデータを希望日時に所望のアドレスで受け取ることができる。
【０００８】
【発明の実施の形態】
（第１の実施形態）
図１は、この発明に係わる個人情報備忘録方法を適用した個人情報備忘録システムを示す概念図である。
【０００９】
個人情報備忘録システムは、通信接続提供事業者（プロバイダ）を含む各種の通信事業者が所有し管理するインターネットを１０と、このインターネット１０に接続可能であり、インターネット１０を介して予めユーザによって登録されたデータを所定の送信先に送信する個人情報備忘録システム１２と、インターネット１０に接続可能であり、受信した電子メールを蓄積し、各種端末からのアクセスに応じて蓄積した電子メールを配信したり、クライアント端末からの送信用の電子メールを受信して送信するメールサーバとインターネット等への接続を行う接続機能とを備えたインターネットサービスプロバイダ（以下、プロバイダと称す）１４と、プロバイダ１４を経てインターネット１０を介してデータ個人情報備忘録システム１２にアクセスを行い、送信データを登録するパーソナルコンピュータ（ＰＣ）端末１６と、プロバイダ１４と接続され、携帯電話等の携帯端末とアクセスするための基地局１７と、この基地局１７を介してプロバイダ１４が備えるメールサーバに必要に応じてアクセスし、メールサーバに蓄積されている電子メールを受信したり、送信用電子メールをメールサーバに送信するクライアント端末である電子メールの送受信機能を有した携帯電話等の携帯端末１８とを備えている。なお、携帯端末１８でデータ個人情報備忘録システム１２にプロバイダ１４を経てインターネット１０を介してアクセスを行い、送信データの登録を行っても良い。
【００１０】
個人情報備忘録システム１２は、ＰＣ端末１６または携帯端末１８からのアクセスを受けた場合に、入力された情報をデータベース用のフォーマットに変換してデータベースに転送するホームページサーバ１２ａと、ホームページサーバ１２ａから受信した情報をデータベースフォーマットで蓄積したり、ユーザ認証情報、アドレス情報、日付情報等を記憶するデータベース８と、このデータベース８からの電子メールの送信の指示により、所定の送信先に電子メールを送信するメールサーバ１２ｂとから少なくとも備える。
【００１１】
データベース８は、図２に示すように、ＰＣ端末１６や携帯端末１８等のクライアント端末とホームページサーバ１２ａを介してデータの通信を行ったり、登録されたデータの記憶や送信条件の判別、送信条件と一致したデータの送信等を行う制御手段２０と、各種データを記憶する記憶手段２１とを少なくとも備える。記憶手段２１は、当該データ個人情報備忘録システム１２にホームページサーバ１２ａを介してアクセスするＰＣ端末１６等のクライアント端末の識別情報を記憶するユーザ識別情報記憶領域２１ａと、送信先に送信するための登録されたデータを記憶する通知情報記憶領域２１ｂと、登録されたデータをいつ送信先に送信するかを特定する情報を記憶する日付情報記憶領域２１ｃと、登録されたデータを送信するための電子メール等の送信先情報を記憶するアドレス記憶領域２１ｄと、当該データ個人情報備忘録システム１２で使用されるオペレーションシステムやシステムの管理アプリケーション等のプログラムを記憶するプログラムメモリ記憶領域２１ｅとを少なくとも備えている。
【００１２】
次に、本発明に係わるデータ送信プログラムを適用したデータ送信方法の送信データ登録の一連の処理例について図３のフローチャートを参照して説明する。
【００１３】
データ個人情報備忘録システム１２の制御手段２０は、ステップＳ１で、ＰＣ端末１６等のクライアント端末からアクセスを受けると、プログラムメモリ記憶領域２１ｅから必要なプログラムを読み出し、クライアント端末のユーザの認証を行う。このユーザの認証は、予めデータ個人情報備忘録システム１２から発行された例えば、ＩＤおよびパスワードと当該データ個人情報備忘録システム１２のユーザ認証情報記憶領域２１ａに記憶されているＩＤとパスワードとを比較・検証することによって行う。また、これらの情報が発行されていない新規のユーザには、その場で登録を行い、ＩＤやパスワード等を発行することもできる。
【００１４】
ステップＳ１で、ユーザの認証が完了すると、ステップＳ２に遷移し、日付情報登録処理を行う。この日付情報登録処理は、例えば、図５に示すように、まず、カレンダー表示領域４０から登録したい日付、例えば２００３年３月１１日を選択する。この日付の選択に応じて、２００３年３月１１日の１日のタイムテーブル４３が表示される。またはタイトル・日時入力領域４１の日時入力領域４１ｂで日時を入力してもよい。また、図６に示すように、受信希望時間３０ｂ、通知基準日３０ｃの入力フォールドに入力するようにしてもよい。さらに、通知日時入力領域４１ｃにて登録したデータを通知（配信）する日時を指定する。例えば、１ヶ月前、１週間前、１日前がデフォルトで選択することができ、任意にこれ以外の指定をしたい場合は、任意日前を選択し、さらに、例えば３日前等を任意入力領域４１ｄに入力することができる。またこの任意入力領域４１ｄに「０」を入力した場合は、設定された日時情報の当日に通知される。また、図６に示すように、通知タイミング３０ｆの入力フォールドに入力するようにしてもよい。これらの日付情報は、制御手段２０によってデータ個人情報備忘録システム１２の日付情報記憶領域２１ｃに記憶される。記憶されたこれらのデータは、ユーザごとのテーブルとして登録したユーザがいつでもデータ個人情報備忘録システム１２にアクセスすることにより参照することができる。
【００１５】
制御手段２０は、ステップＳ３で、データ登録処理を行う。このデータ登録処理は、例えば、タイトル・日時入力領域４１のタイトル入力領域４１ａで登録データのタイトルを入力する。または、タイムテーブル４３のイベント選択メニュー４３ａから選択してもよい。さらに、登録データの詳細な内容は、例えば、タイムテーブル４３の時間別に分かれた領域の内、通知させたい時間帯のフィールドに直接入力する。例えば、タイトルにイベント選択メニュー４３ａから「誕生日」を選択して、詳細な内容に「Ａちゃん」というようなんニックネームを登録する。また、図６に示すように、名前・相性３０ｄの入力フォールドに入力するようにしてもよい。
【００１６】
さらに、例えば、以下のようなかっこ「＜」と「＞」とで数字を囲んで入力すると、この数字は年情報として扱われ、毎年自動的にこの数字を１づつ増やすように設定される。例えば、何歳の誕生日であるかを示すために例えば＜２３＞の数字を入力すると、通知される情報としては、今年は「２３」が通知され、来年は自動的に「２４」として通知される。また、図６に示すように、満・数え３０ｅの入力フォールドに入力するようにしてもよい。さらに、通知終了日付３０ｇフィールドで例えば、３年後の日時を入力すると、これ以降の通知を中止するように設定することもできる。
【００１７】
ステップＳ４で、制御手段２０は、送信先の電子メール等のアドレスを登録する。例えば送信データを登録したユーザである自身の携帯電話、携帯情報機器、ＰＣ端末等のメールアドレス等を登録する。また、セキュリティの関係上、送信先はアドレスのみの入力とし、個人名等は入力しないものとする。また、これらのアドレス情報は、制御手段２０によってデータ個人情報備忘録システム１２のアドレス記憶領域２１ｄに記憶される。また、図６に示すように、添付ファイル３０ｈの入力フォールドで設定することにより、写真等の添付データも同時に送信データとして送信するようにしてもよい。
【００１８】
以上で、送信データの登録処理は終了する。このように登録された登録データは、ユーザがデータ個人情報備忘録システム１２にアクセスすることにより、いつでも参照することができる。また、これらの通知情報は、制御手段２０によってデータ個人情報備忘録システム１２の通知情報記憶領域２１ｂに記憶される。
【００１９】
次に、本発明に係わるデータ送信プログラムを適用したデータ送信方法の登録データの送信の一連の処理例について図４のフローチャートを参照して説明する。
【００２０】
データ個人情報備忘録システム１２の制御手段２０は、自身が備えている時計により、計時を行っており、ステップＳ１０で、登録されたデータの指定された通知日時になると、ステップＳ１１で、日付情報である２００３年３月１１日と、登録されたデータである「Ａちゃん２３」とを登録されたアドレスを送信先として設定した送信データ「２００３年３月１１日Ａちゃん２３」を作成し、この送信データを登録されたアドレスに送信する。ここで、登録されたデータに設定されたタイトル、例えば「誕生日」は送信データには組み込まずに送信する。または、例えば、送信データは、登録された愛称と満何年または数え何年のみを通知するようにする。具体的には、「結婚記念日の日が来月４月１２日に満５年目を迎えます。」といった通知内容である。さらに、パッケージサイズとしては、１申し込みに２０情報といようような設定にしてもよい。
【００２１】
必要に応じて登録したユーザのみがデータ個人情報備忘録システム１２にアクセスして当該データ個人情報備忘録システム１２上でのみ図６に示すテーブルを参照できる。
【００２２】
また、データ個人情報備忘録システム１２を用いたこのようなデータ送信サービスは、当該サービスを利用するユーザから利用ごとに料金を徴収するのは煩雑であるので、ユーザが契約している携帯電話の電話会社等を通じて課金する方法が望ましい。この場合には、ユーザが当該サービスの利用の申し込みをサービスの提供会社に行うと、１回の申し込みで、例えば２０件の情報を登録でき、この１回の申し込み当たり、例えば月１００円等と設定して、携帯電話の電話会社等を通じて、例えば毎月課金する。課金された料金は、携帯電話の電話会社等を通じて、サービス提供会社に支払われる。
【００２３】
以上の構成により、登録したデータを任意の送信先アドレスで受け取る際に、受け取った内容が何の予定であるかは登録した本人のみが把握することができ、また、万が一、受信した内容が何の意味であるかを忘れてしまった場合であっても、ユーザがデータ個人情報備忘録システム１２にアクセスすることにより登録したデータをいつでも参照することができる。また、通知情報として本人のみが把握できる短いデータであるので、携帯電話等で受信する場合には、通信料金を安価にすることができる。
【００２４】
なお、本サーバ装置は、例えば磁気ディスク等の記録媒体に記録されたプログラムを読み込み、このプログラムによって動作が制御されるコンピュータによって実現される。
【００２５】
さらに、本実施の形態に記載した方法は、計算機（コンピュータ）に実行させることができるプログラム（ソフトウエア手段）として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含むものである。本装置を実現する計算機は、記録媒体に記録されたプログラムを読み込み、また場合により設定プログラムによりソフトウエア手段を構築し、このソフトウエア手段によって動作が制御されることにより上述した処理を実行する。
【００２６】
（その他の実施形態）
また、前述の実施形態では、データ個人情報備忘録システム１２に登録された登録データは、文字データが登録されるが、文字データに限らず、例えば、図６に示すように、誕生日であれば、当人の写真データ等を登録しておき、送信データとして設定することができる。また、送信データの作成や日時管理はデータベース８で行っているが、メールサーバ１２ｂ等で行うようにしてもよく、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００２７】
【発明の効果】
以上詳述したようにこの発明では、ユーザが登録した情報の内、当該ユーザのみが把握できる必要最低限の情報のみを、所定の条件に従って、設定された送信先に送信するようにしている。
【００２８】
したがってこの発明によれば、通知されたメッセージ等の通知情報を当該メッセージの登録者本人が最低限に把握できる内容で受信することができる個人情報備忘録システム、方法およびプログラムを提供することができる。
【図面の簡単な説明】
【図１】この発明に係わる個人情報備忘録システムを示す概念図。
【図２】図１のデータベースの構成を示したブロック図。
【図３】本発明に係わる個人情報備忘録プログラムを適用した個人情報備忘録方法の一連の処理例を示したフローチャート。
【図４】本発明に係わる個人情報備忘録プログラムを適用した個人情報備忘録方法の一連の処理例を示したフローチャート。
【図５】データ登録時の画面の一実施形態を示す模式図。
【図６】データ登録時の画面の一実施形態を示す模式図。
【符号の説明】
１０…インターネット、１２…個人情報備忘録システム、１４…プロバイダ、１６…ＰＣ端末、１８…携帯端末、２０…制御手段、２１…記憶手段、２１ａ…ユーザ識別情報記憶領域、２１ｂ…通知情報記憶領域、２１ｃ…日付情報記憶領域、２１ｄ…アドレス記憶領域、２１ｅ…プログラムメモリ記憶領域
【図１】
2004297674.tif 000003
【図２】
2004297674.tif 000004
【図３】
2004297674.tif 000005
【図４】
2004297674.tif 000006
【図５】
2004297674.tif 000007
【図６】
2004297674.tif 000008